(57)【特許請求の範囲】
【請求項１】
平瓦の表側の中央部に設けられた凹部に太陽電池が装着されてなる太陽電池付屋根瓦であって、上記平瓦の流れ勾配方向と直交する上側周縁に内側より外側に連通する凹溝が設けられ、更に、この上側周縁の外側端縁に防水用リブが立設され、太陽電池の接続コードが、上記凹溝内を挿通されるとともに、上記防水用リブ上を乗り越えて外側に引き出されていることを特徴とする太陽電池付屋根瓦。
【請求項２】
接続コードが挿通された上記凹溝上に金属製のカバーが架設され、このカバーの凹部側に固定片が突き出して設けられ、この固定片により太陽電池が上面より固定されていることを特徴とする請求項１記載の太陽電池付屋根瓦。
【請求項３】
請求項２記載の上記カバーに設けられた固定用の釘孔が、平瓦の固定用に設けられた釘孔と連通されていることを特徴とする請求項１記載の太陽電池付屋根瓦。
【発明の詳細な説明】
【０００１】
【発明の属する技術分野】
本発明は、太陽電池付屋根瓦に関する。
【０００２】
【従来の技術】
従来、住宅等の屋根に太陽電池を設置し、太陽光線の持つエネルギーを利用し、本来の電力消費を補って、消費電力を節約するための太陽電池の応用方法が種々考案されている。
【０００３】
例えば、特開昭５７−６８４５４号公報や実開平４−２８５２４号公報には、屋根瓦に太陽電池を内蔵させ、この屋根瓦を屋根に葺設する方法が記載されている。
又、特開平５−２４３５９８号公報においては、パネル形状の太陽電池ユニットを専用架台に固定して用いるようにした方法が記載されている。
【０００４】
【発明が解決しようとする課題】
しかしながら、上記後者の例の特開平５−２４３５９８号公報に記載された太陽電池ユニットを専用架台に固定して用いる方法は、屋根上への施工に当たり、上記太陽電池ユニット以外の周辺の屋根材との継ぎ目の防水処理の施工が複雑で工数がかかり、コストが高くつくといった問題がある。
【０００５】
一方、上記前者の特開昭５７−６８４５４号公報や実開平４−２８５２４号公報に記載された太陽電池内蔵の屋根瓦の場合には、本来の屋根瓦の場合と同様の方法で葺設できるので、施工の手間は従来と変わらず、簡便でコストも安価に施工できる利点があるが、上記特開昭５７−６８４５４号公報や実開平４−２８５２４号公報に記載されているように、太陽電池に接続された接続コードの端子を平瓦の裏側に貫通させる構造においては、この貫通孔よりの漏水等の防水上の問題があった。
【０００６】
本発明は、このような上記の問題点に着目してなされたものであり、その目的とするところは、これらの問題点を解消し、太陽電池の接続コードの配線が簡単に行えるとともに、雨水の防水を確実に行うことが可能な太陽電池付屋根瓦を提供するものである。
【０００７】
【課題を解決するための手段】
請求項１記載の太陽電池付屋根瓦においては、平瓦の表側の中央部に設けられた凹部に太陽電池が装着されてなる太陽電池付屋根瓦であって、上記平瓦の流れ勾配方向と直交する上側周縁に内側より外側に連通する凹溝が設けられ、更に、この上側周縁の外側端縁に防水用リブが立設され、太陽電池の接続コードが、上記凹溝内を挿通されるとともに、上記防水用リブ上を乗り越えて外側に引き出されていることを特徴とする。
【０００８】
請求項２記載の太陽電池付屋根瓦においては、請求項１記載の太陽電池付屋根瓦の接続コードが挿通された上記凹溝上に金属製のカバーが架設され、このカバーの凹部側に固定片が突き出して設けられ、この固定片により太陽電池が上面より固定されていることを特徴とする。
【０００９】
請求項３記載の太陽電池付屋根瓦においては、請求項１記載の太陽電池付屋根瓦であって、請求項２記載の凹部のカバーに設けられた固定用の釘孔が、平瓦の固定用に設けられた釘孔と連通されていることを特徴とする。
【００１０】
本発明の太陽電池付屋根瓦においては、上記請求項１記載のように、接続コードを凹溝内に収容して、上より重合される平瓦の裏面と干渉しないようにしようとするものである。
【００１１】
又、上記凹溝は、防水用リブの直前まで設けられ、接続コードは防水用リブの上を乗り越えて外側に引き出されるようになっている。
こうすることにより、葺設後の太陽電池付屋根瓦の重合部の裏側より上記防水用リブの上を乗り越えて雨水が野地板の上に浸入してくる恐れがなく、接続コードの引き出し部よりの雨水の浸入と漏水を確実に防止することが可能となる。
【００１２】
更に、請求項２記載のように、金属製のカバーを接続コードが挿通された凹溝に架設することにより、雨水等により接続コードが濡れるを防止することが可能となり、太陽電池への影響を防止することが可能となる。
上記カバーの固定方法としては、ビス止めや接着剤による固着を用いることができる。
【００１３】
又、上記カバーに、平瓦の凹部側に固定片を延設し、この固定片により太陽電池を上面より固定することにより、太陽電池を平瓦の凹部により強固に固定することが可能となる。
【００１４】
更に、上記凹部のカバーに設けられた固定用の釘孔を、平瓦の固定用に設けられた釘孔と連通させることにより、太陽電池付屋根瓦を野地板上に固定する際、カバーを同時に強固に平瓦の上側周縁に固定することが可能となる。
【００１５】
【作用】
請求項１記載の太陽電池付屋根瓦においては、平瓦の流れ勾配方向と直交する上側周縁に内側より外側に連通する凹溝が設けられ、更に、この上側周縁の外側端縁に防水用リブが立設され、太陽電池の接続コードが、上記凹溝内を挿通されるとともに、上記防水用リブ上を乗り越えて外側に引き出されているので、葺設後の太陽電池付屋根瓦の重合部の裏側より上記防水用リブの上を乗り越えて雨水が野地板の上に浸入してくる恐れがなく、接続コードの引き出し部よりの雨水の浸入と漏水を確実に防止することが可能となる。
【００１６】
請求項２記載の太陽電池付屋根瓦においては、請求項１記載の太陽電池付屋根瓦の接続コードが挿通された上記凹溝上に金属製のカバーが架設され、又、このカバーの凹部側に突き出して設けられた固定片により太陽電池が上面より固定されているので、上記金属製のカバーにより接続コードが雨水により濡れるのが防止され、太陽電池の性能等の低下の防止が可能である。
【００１７】
又、上記カバーに、平瓦の凹部側への固定片が延設され、この固定片により太陽電池が上面より固定されることにより、太陽電池を平瓦の凹部へより強固に固定することが可能である。
【００１８】
請求項３記載の太陽電池付屋根瓦においては、請求項１記載の太陽電池付屋根瓦であって、請求項２記載の凹部のカバーに設けられた固定用の釘孔が、平瓦の固定用に設けられた釘孔と連通されているので、太陽電池付屋根瓦を野地板上に固定する際、カバーを同時に強固に平瓦の上側周縁に固定することが可能である。
【００１９】
【発明の実施の形態】
図１は、請求項１記載の本発明の太陽電池付屋根瓦の一例を示す分解斜視図、図２は、図１に示す太陽電池付屋根瓦の完成状態の斜視図である。
図１において、本実施例の太陽電池付屋根瓦１０は、平瓦１１の表面の重ね合わされて被重合部となる周縁１２の内側に凹部１３が設けられ、この凹部１３に太陽電池１６が装着されてなる構造である。
【００２０】
上記平瓦１１の流れ勾配方向と直交する上側周縁１２ａには、内側より外側に連通する２条の凹溝１４、１４が設けられいる。
更に、この上側周縁１２ａの外側端縁に防水用リブ１５が立設され、太陽電池１６の接続コード１６ａ、１６ａが、上記凹溝１４、１４内にそれぞれ挿通され、上記防水用リブ１５上を乗り越えて外側に引き出された構造となっている。
【００２１】
即ち、上記のようにして構成された太陽電池付屋根瓦１０は、図２に示すように完成された状態となる。
それぞれの接続コード１６ａは、図３の断面図に示すように、凹溝１４に挿通され、上側周縁１２ａの外側端縁の防水用リブ１５の上を乗り越えて外側に引き出されて、太陽電池付屋根瓦１０として完成されている。
【００２２】
従って、図３に示すように葺設された後の太陽電池付屋根瓦１０の重合部の裏側より上記防水用リブ１５の上を乗り越えて雨水が野地板１の上に浸入してくる恐れがなく、接続コード１６ａの引き出し部よりの雨水の浸入と漏水を確実に防止することが可能である。
【００２３】
図４は、請求項２、３記載の本発明の太陽電池付屋根瓦の一例を示す分解斜視図である。
図４において、本実施例の太陽電池付屋根瓦２０は、基本的な構造は上記実施例の太陽電池付屋根瓦１０と同様であり、平瓦１１の表面の重ね合わされて被重１部となる周縁１２の内側に凹部１３が設けられ、この凹部１３に太陽電池１６が装着されてなる構造である。
【００２４】
上記平瓦１１の流れ勾配方向と直交する上側周縁１２ａには、内側より外側に連通する２条の凹溝１４、１４が設けられいる。
更に、この上側周縁１２ａの外側端縁に防水用リブ１５が立設され、太陽電池１６の接続コード１６ａ、１６ａが、上記凹溝１４、１４内にそれぞれ挿通され、上記防水用リブ１５上を乗り越えて外側に引き出されて組み立てられる構造となっている。
【００２５】
上記太陽電池１６が凹部１３に装着され、接続コード１６ａが凹溝１４に挿通され、防水用リブ１５の上を乗り越えて外側に引き出された状態で、本実施例においては、金属製のカバー１７、１７が上記凹溝１４、１４上にそれぞれ架設されるようになっている。
更に、上記カバー１７には、凹部１３（太陽電池１６側と同様）側に固定片１７ａが延設され、この固定片１７ａにより太陽電池１６が上面より固定されるようになっている。
【００２６】
又、請求項３記載に記載されているように、上記のカバー１７の両側に設けられた固定用の釘孔１７ｂが、平瓦の固定用に設けられた釘孔１２ｂと、固定時に連通されるように設けられている。
従って、本実施例の太陽電池付屋根瓦２０を野地板１（図３に示す）上に固定する際、カバー１７を同時に平瓦１１の上側周縁１２ａに強固に固定することが可能である。
【００２７】
本実施例に用いられた上記カバー１７は一例に過ぎず、その目的とする機能が同等であればよく、その形状や構造等は、本実施例に限定されるものではない。
【００２８】
【発明の効果】
請求項１記載の太陽電池付屋根瓦においては、平瓦の流れ勾配方向と直交する上側周縁に内側より外側に連通する凹溝が設けられ、更に、この上側周縁の外側端縁に防水用リブが立設され、太陽電池の接続コードが、上記凹溝内を挿通されるとともに、上記防水用リブ上を乗り越えて外側に引き出されているので、葺設後の太陽電池付屋根瓦の重合部の裏側より上記防水用リブの上を乗り越えて雨水が野地板の上に浸入してくる恐れがなく、接続コードの引き出し部よりの雨水の浸入と漏水を確実に防止することが可能となる。
【００２９】
請求項２記載の太陽電池付屋根瓦においては、請求項１記載の太陽電池付屋根瓦の接続コードが挿通された上記凹溝上に金属製のカバーが架設され、又、このカバーの凹部側に突き出して設けられた固定片により太陽電池が上面より固定されているので、上記金属製のカバーにより接続コードが雨水により濡れるのが防止され、太陽電池の性能等の低下の防止が可能である。
【００３０】
又、上記カバーに、平瓦の凹部側への固定片が延設され、この固定片により太陽電池が上面より固定されることにより、太陽電池を平瓦の凹部へより強固に固定することが可能である。
【００３１】
請求項３記載の太陽電池付屋根瓦においては、請求項１記載の太陽電池付屋根瓦であって、請求項２記載の凹部のカバーに設けられた固定用の釘孔が、平瓦の固定用に設けられた釘孔と連通されているので、太陽電池付屋根瓦を野地板上に固定する際、カバーを同時に強固に平瓦の上側周縁に固定することが可能である。
従って、太陽電池付屋根瓦として好適である。
【図面の簡単な説明】
【図１】請求項１記載の本発明の太陽電池付屋根瓦の一例を示す分解斜視図。
【図２】図１の太陽電池付屋根瓦の完成状態を示す斜視図。
【図３】図２に示す太陽電池付屋根瓦の施工例を示す断面図。
【図４】請求項２、３記載の本発明の太陽電池付屋根瓦の一例を示す斜視図。
【符号の説明】
１                            野地板
１０、２０                    太陽電池付屋根瓦
１１                          平瓦
１２                          周縁
１２ａ                        上側周縁
１２ｂ、１７ｂ                釘孔
１３                          凹部
１４                          凹溝
１５                          防水用リブ
１６                          太陽電池
１６ａ                        接続コード
１７                          カバー
１７ａ                        固定片
【図１】
0003887042.tif 000002
【図２】
0003887042.tif 000003
【図３】
0003887042.tif 000004
【図４】
0003887042.tif 000005